(57)【要約】      （修正有）【課題】ロール紙を中央寄せして支持軸に固定できるプリンターを提案すること。【解決手段】プリンターは、ロール紙４に挿通した支持軸３１の両端を回転可能に支持する軸受方式のロール紙ホルダーを備える。ロール紙ホルダーは、支持軸３１に対してスライド可能に装着した一対のロック部材１０Ａ、１０Ｂを備え、ロック部材ガイド機構によってロック部材１０Ａ、１０Ｂを支持軸３１に沿って逆向きに移動させる。ロック部材１０Ａ、１０Ｂをロール紙４の両側に装着して両側からロール紙４に近づけると、ロール紙４の軸孔４２内にロール紙固定部１１Ａ、１１Ｂの先端が挿入され、ロール紙固定部１１Ａ、１１Ｂの外周面が軸孔４２の開口縁に斜めに押し当てられる。この状態で、ロック部材位置決め機構５０によってロック部材１０Ａ、１０Ｂを軸線Ｌ方向に位置決めし、ロール紙４を支持軸３１に対して固定する。【選択図】図２
2013215984.tif 000002
【特許請求の範囲】
【請求項１】
ロール紙ホルダーに装填したロール紙から引き出した記録紙を印刷ヘッドを経由する搬送路に沿って搬送して当該記録紙への印刷を行うプリンターであって、
前記ロール紙ホルダーは、
前記ロール紙に形成された軸孔に挿通される支持軸と、
当該支持軸を回転可能に支持する支持手段と、
前記支持軸における前記ロール紙の幅方向の両側に取り付けられる一対のロック部材と、
前記一対のロック部材を前記支持軸に沿って逆向きに移動させるためのロック部材ガイド手段と、
前記一対のロック部材を前記支持軸の軸線方向に位置決めするためのロック部材位置決め手段を有し、
各ロック部材は、前記ロール紙側に突出しており前記支持軸に対して同軸状に配置されるロール紙固定部を備え、
当該ロール紙固定部は、その先端部分が前記軸孔の開口径よりも細く、後端部分が前記軸孔の開口径よりも太いことを特徴とするプリンター。
【請求項２】
請求項１において、
前記ロール紙固定部の外周面は円錐面であることを特徴とするプリンター。
【請求項３】
請求項１または２において、
前記ロール紙固定部の外周面には、前記支持軸の径方向に放射状に延びる溝あるいは突状部が形成されていることを特徴とするプリンター。
【請求項４】
請求項１ないし３のいずれかの項において、
前記ロック部材位置決め手段は、
前記支持軸の外周に装着され、周方向に複数に分割されている内側分割筒体と、
当該内側分割筒体の外周に装着される外側筒体を備え、
前記外側筒体の内周面および前記内側分割筒体の外周面のそれぞれには、両筒体の軸線方向の一端側に向かうに従って径が小さくなるテーパ状のねじ面が設けられ、
前記外側筒体は、
前記一対のロック部材の一方に対して軸線方向に相対移動不能に取り付けられており、
前記外側筒体および前記内側分割筒体における前記ねじ面の傾きは、前記内側分割筒体を締め付けるように前記外側筒体を回したとき、当該外側筒体および前記一方のロック部材が他方のロック部材に接近する方向に移動するように設定されていることを特徴とするプリンター。
【発明の詳細な説明】
【技術分野】
【０００１】
本発明は、ロール紙を装填して、ロール紙から引き出した記録紙に印刷を行うプリンターに関する。
【背景技術】
【０００２】
従来から、長尺の記録紙をロール状に巻いたロール紙をロール紙ホルダーに装填し、このロール紙から記録紙を引き出して印刷するプリンターが用いられている。ロール紙ホルダーには、ロール紙の巻き芯に挿入した支持軸の両端を軸支することによってロール紙を回転可能に保持する軸受方式のものがある。この種のロール紙ホルダーは、支持軸の一端側にロール紙を片寄せして位置決めしたり、あるいは、支持軸の中央にロール紙を中央寄せして位置決めできるように構成されている。ロール紙を位置決めすることによって記録紙の搬送位置のずれを抑制できる。これにより、印刷精度を高めることができ、搬送時のトラブルを抑制できる。
【０００３】
特許文献１には、ロール紙の幅方向の両側に一対のガイド板を配置し、このガイド板をラックアンドピニオン機構によって支持軸に沿って互いに逆向きに連動させて動かすことにより、ロール紙を中央寄せして位置決めできる用紙ホルダー（ロール紙ホルダー）を備えるプリンターが開示されている。
【先行技術文献】
【特許文献】
【０００４】
【特許文献１】特開２００７−４５１２７号公報
【発明の概要】
【発明が解決しようとする課題】
【０００５】
ここで、ロール紙から記録紙を引き出して印刷するプリンターにおいて、引き出した記録紙を再度ロール紙に巻き取る動作が必要になる場合がある。例えば、逆送などによって記録紙の撓みが大きくなった場合に、記録紙をロール紙に巻き取ることができるのが望ましい。しかしながら、特許文献１のプリンターは支持軸に対してロール紙が回転可能になっているため、支持軸を介して強制的にロール紙を回転させることができず、記録紙をロール紙に巻き取ることができない。
【０００６】
また、幅の広い記録紙を用いる場合はロール紙の重量が大きくなることがあり、このようなロール紙を装填して印刷する場合、バランス良く記録紙を繰り出すためには支持軸に対して中央基準でロール紙を位置決めすることが望ましい。また、重量の大きいロール紙に記録紙を巻き取るためには、支持軸に対してロール紙を確実に固定できるようにする必要がある。
【０００７】
本発明の課題は、このような点に鑑みて、ロール紙を支持軸上において中央寄せして位置決めできると共に、ロール紙を支持軸に確実に固定できるプリンターを提供することにある。
【課題を解決するための手段】
【０００８】
上記の課題を解決するため、本発明は、ロール紙ホルダーに装填したロール紙から引き出した記録紙を印刷ヘッドを経由する搬送路に沿って搬送して当該記録紙への印刷を行うプリンターであって、
前記ロール紙ホルダーは、
前記ロール紙に形成された軸孔に挿通される支持軸と、
当該支持軸を回転可能に支持する支持手段と、
前記支持軸における前記ロール紙の幅方向の両側に取り付けられる一対のロック部材と、
前記一対のロック部材を前記支持軸に沿って逆向きに移動させるためのロック部材ガイド手段と、
前記一対のロック部材を前記支持軸の軸線方向に位置決めするためのロック部材位置決め手段を有し、
各ロック部材は、前記ロール紙側に突出しており前記支持軸に対して同軸状に配置されるロール紙固定部を備え、
当該ロール紙固定部は、その先端部分が前記軸孔の開口径よりも細く、後端部分が前記軸孔の開口径よりも太いことを特徴としている。
【０００９】
本発明は、このように、支持軸に沿って逆向きに移動する一対のロック部材によってロール紙を両側からガイドできるため、ロール紙を中央基準で位置決めできる。また、このとき、ロール紙の軸孔の両端から両ロック部材のロール紙固定部を挿入して、軸孔の開口縁にロール紙固定部の外周面が強く押し当てられるまで両ロック部材を近づけることができる。従って、各ロック部材をロール紙に両側から強く押し当ててこれらが一体回転する状態を形成でき、この状態でロック部材を支持軸の軸線方向に位置決めすることにより、ロック部材によってロール紙を両側から押圧して支持軸に固定できる。よって、支持軸を回転させて記録紙を巻き取ることができる。また、支持軸の中央から記録紙を繰り出すことができると共に、支持軸の中央に寄せて記録紙を巻き取ることができる。
【００１０】
本発明において、前記ロール紙固定部の外周面は円錐面であることが望ましい。このようにすると、ロール紙の軸孔の開口縁に対してロール紙固定部の外周面が斜めに当接するため、押圧力を集中させることができ、強い力でロール紙を挟み込むことができる。よって、ロール紙を支持軸に強く固定できる。
【００１１】
この場合に、前記ロール紙固定部の外周面には、前記支持軸の径方向に放射状に延びる溝あるいは突状部が形成されていることが望ましい。このようにすると、ロール紙の軸孔の開口縁に当接するロール紙固定部の部位に凹凸が形成されて、その凸部（溝と溝の間の部位あるいは突条部）に押圧力が集中的に加わる。従って、押圧力を更に集中させることができ、ロール紙の支持軸への固定力を更に強めることができる。
【００１２】
また、本発明において、前記ロック部材位置決め手段は、前記支持軸の外周に装着され、周方向に複数に分割されている内側分割筒体と、当該内側分割筒体の外周に装着される外側筒体を備え、前記外側筒体の内周面および前記内側分割筒体の外周面のそれぞれには、両筒体の軸線方向の一端側に向かうに従って径が小さくなるテーパ状のねじ面が設けられ、前記外側筒体は、前記一対のロック部材の一方に対して軸線方向に相対移動不能に取り付けられており、前記外側筒体および前記内側分割筒体における前記ねじ面の傾きは、前記内側分割筒体を締め付けるように前記外側筒体を回したとき、当該外側筒体および前記一方のロック部材が他方のロック部材に接近する方向に移動するように設定されていることが望ましい。このように、内側分割筒体と外側筒体の間にテーパねじ機構を構成すると、内側分割筒体を締め付けるときに外側筒体を軸線方向に移動させることができる。従って、両ロック部材を支持軸に固定するときに両ロック部材を更に近づけることができ、更に強くロール紙を挟み込むことができる。
【発明の効果】
【００１３】
本発明によれば、支持軸に沿って逆向きに移動する一対のロック部材によってロール紙を両側からガイドできるため、ロール紙を中央基準で位置決めできる。また、このとき、ロール紙の軸孔の両端から両ロック部材のロール紙固定部を挿入して、軸孔の開口縁にロール紙固定部の外周面が強く押し当てられるまで両ロック部材を近づけることができる。従って、各ロック部材をロール紙に両側から強く押し当ててこれらが一体回転する状態を形成でき、この状態でロック部材を支持軸の軸線方向に位置決めすることにより、ロック部材によってロール紙を両側から押圧して支持軸に固定できる。よって、支持軸を回転させて記録紙を巻き取ることができる。また、支持軸の中央から記録紙を繰り出すことができると共に、支持軸の中央に寄せて記録紙を巻き取ることができる。
【図面の簡単な説明】
【００１４】
【図１】本発明を適用したプリンターの主要部を示す概略縦断面図である。
【図２】ロール紙ホルダーの主要部の構成を示す側面図である。
【図３】支持軸およびロック部材の縦断面図である。
【図４】ロック部材およびロック部材位置決め機構の縦断面図および正面図である。
【図５】改変例のロール紙固定部およびロール紙の側面図である。
【発明を実施するための形態】
【００１５】
以下に、図面を参照しながら、本発明を適用したプリンターの実施形態を説明する。
【００１６】
（全体構成）
図１は本発明を適用したプリンターの主要部を示す概略縦断面図である。プリンター１はインクジェットプリンターであり、プリンター１の各機構部分を支持する本体フレーム２と、本体フレーム２の後端側に配置されたロール紙ホルダー３を備えている。ロール紙ホルダー３には、長尺の記録紙Ｐをロール状に巻いたロール紙４が装填される。プリンター１内には、ロール紙ホルダー内のロール紙４から繰り出された記録紙Ｐをプリンター前方に向けて搬送するための搬送路５が構成されている。プリンター１は、搬送路５に沿って記録紙Ｐを搬送するための記録紙搬送機構６と、搬送路５に沿って搬送される記録紙Ｐに印刷を行うための印刷機構７を備えている。印刷済みの記録紙Ｐは、本体フレーム２の前端側に設けられた記録紙排出口８から排出される。印刷機構７は、インクジェットヘッド７ａ（印刷ヘッド）およびプラテン７ｂを備えており、これらによって搬送路５上の印刷位置Ａが規定されている。
【００１７】
（ロール紙ホルダー）
図２はロール紙ホルダーの主要部の構成を示す側面図である。また、図３は支持軸およびロック部材の縦断面図、図４はロック部材およびロック部材位置決め機構の縦断面図および正面図である。本例のロール紙４は、筒状の巻き芯４１を備えており、この巻き芯４１の外周に記録紙Ｐが巻き付けられている。巻き芯４１には軸孔４２が形成されている。ロール紙ホルダー３は、ロール紙４の軸孔４２に挿通される支持軸３１と、支持軸３１の両端を回転可能に支持する支持フレーム３２（支持手段）を備えている。支持フレーム３２はプリンター１の本体フレーム２に固定されている。支持軸３１は支持フレーム３２に対して着脱可能である。支持軸３１を支持フレーム３２にセットすると、支持軸３１の端部に支持軸３１を正逆方向に回転させるための支持軸駆動機構３３が構成される。支持軸駆動機構３３は、例えば、駆動モーター３３ａと、駆動モーター３３ａの回転を支持軸３１に伝達するための駆動力伝達機構３３ｂと、駆動力伝達機構３３ｂによる駆動力の伝達経路を接続状態あるいは遮断状態に切り換えるためのクラッチ機構３３ｃを備えている。
【００１８】
図２に示すように、ロール紙ホルダー３は、支持軸３１に対してその軸線Ｌ方向にスライド可能に取り付けられる一対のロック部材１０Ａ、１０Ｂと、このロック部材１０Ａ、１０Ｂを支持軸３１に沿って逆向きに移動させるためのロック部材ガイド機構２０（ロック部材ガイド手段：図３参照）と、ロック部材１０Ａ、１０Ｂを支持軸３１上においてその軸線Ｌ方向に位置決めするためのロック部材位置決め機構５０（ロック部材位置決め手段）を備えている。
【００１９】
図３に示すように、ロック部材１０Ａ、１０Ｂは、その一端側において円錐状に突出するロール紙固定部１１Ａ、１１Ｂおよびその中心を通る軸孔１２Ａ、１２Ｂを備えている。支持軸３１の外周面には、その軸線Ｌ方向に延びる２本のガイド溝３１ａ、３１ｂが形成されている。一方、軸孔１２Ａの内側には２本のガイド突起１３Ａ、１４Ａが形成されており、軸孔１２Ｂの内側には２本のガイド突起１３Ｂ、１４Ｂが形成されている。ロック部材１０Ａの軸孔１２Ａに支持軸３１を挿通すると、ガイド溝３１ａにガイド突起１３Ａが嵌まり、ガイド溝３１ｂにガイド突起１４Ａが嵌まる。また、ロック部材１０Ｂの軸孔１２Ｂに支持軸３１を挿通すると、ガイド溝３１ａにガイド突起１３Ｂが嵌まり、ガイド溝３１ｂにガイド突起１４Ｂが嵌まる。これにより、ロック部材１０Ａ、１０Ｂは、支持軸３１に対して軸線Ｌ方向にスライド可能で、且つ、軸線Ｌを中心として相対回転不能に取り付けられる。
【００２０】
ロック部材１０Ａ、１０Ｂは、支持軸３１におけるロール紙４の幅方向の両側の位置に装着されている。ロック部材１０Ａは支持軸３１に対して着脱可能である。ロール紙４を支持軸３１に装着する際には、ロック部材１０Ａを支持軸３１から取り外してロール紙４の軸孔４２に支持軸３１を挿通した後、ロック部材１０Ａをロック部材１０Ｂとは逆の側から支持軸３１に挿通する。これにより、ロール紙４の幅方向の両側にロック部材１０Ａ、１０Ｂが取り付けられる。なお、ロック部材１０Ｂを支持軸３１に対して着脱可能にして、ロック部材１０Ｂを取り外してロール紙４を装着することもできる。
【００２１】
図２に示すように、ロール紙固定部１１Ａの先端はロール紙４の一方の端面に向けて突出しており、ロール紙固定部１１Ｂの先端はロール紙４の他方の端面に向けて突出している。ロール紙固定部１１Ａ、１１Ｂは支持軸３１に同軸状に装着されており、その先端部分の外径（図２に示す寸法Ｄ１）が軸孔４２の内径Ｄよりも小さく、且つ、後端部分の外径（図２に示す寸法Ｄ２）が軸孔４２の内径Ｄよりも大きい。ロック部材１０Ａ、１０Ｂを支持軸３１に沿って逆向きにスライドさせて、両側からロール紙４に近づけると、ロール紙４の軸孔４２の一端側の開口からロール紙固定部１１Ａの先端が挿入される。また、軸孔４２の他端側の開口からロール紙固定部１１Ｂの先端が挿入される。更に両ロック部材１０Ａ、１０Ｂを接近させると、ロール紙固定部１１Ａの外周面（円錐面）が軸孔４２の一端側の開口の縁に突き当たり、且つ、ロール紙固定部１１Ｂの外周面（円錐面）が軸孔４２の他端側の開口の縁に突き当たる。そして、ロック部材１０Ａ、１０Ｂを両側からロール紙４に押し付けると、ロール紙固定部１１Ａ、１１Ｂの外周面が軸孔４２の一端側および他端側の各開口縁の角部によって強く押圧される。これにより、ロック部材１０Ａ、１０Ｂに対してロール紙４が回転不能になる。
【００２２】
支持軸３１は、その内部にロック部材ガイド機構２０を内蔵している。図３に示すように、ロック部材ガイド機構２０は、歯面を対向させて平行に配置した一対のラックギア２１Ａ、２１Ｂと、ラックギア２１Ａ、２１Ｂの間に配置されたピニオンギア２２を備えている。ラックギア２１Ａ、２１Ｂは支持軸３１の軸線Ｌ方向に延びており、ピニオンギア２２に両側から噛み合っている。支持軸３１の内部には、ラックギア２１Ａ、２１Ｂを軸線Ｌ方向に移動可能に保持する案内溝（図示省略）が形成されている。ピニオンギア２２を回転させると、案内溝に沿ってラックギア２１Ａ、２１Ｂが逆向きに平行移動する。
【００２３】
ラックギア２１Ａには、ガイド溝３１ａ内に突出するガイド突起２３Ａが形成されている。また、ラックギア２１Ｂには、ガイド溝３１ｂ内に突出するガイド突起２３Ｂが形成されている。本例では、ロック部材１０Ａ、１０Ｂを支持軸３１に取り付けると、ガイド突起２３Ａがロック部材１０Ａのガイド突起１３Ａに係合すると共に、ガイド突起２３Ｂがロック部材１０Ｂのガイド突起１４Ｂに係合する。従って、ロック部材１０Ａ、１０Ｂのいずれかを軸線Ｌ方向に移動させると、これに係合しているラックギア２１Ａあるいは２１Ｂが移動してピニオンギア２２が回転する。そして、これに伴い、もう一方のラックギアおよびこれに係合しているロック部材が逆向きに同じ寸法だけ移動する。本例では、ピニオンギア２２が支持軸３１の軸線Ｌ方向の中央の位置に配置されている。よって、ロック部材１０Ａ、１０Ｂに挟まれたロール紙４は、その幅方向の中心と、支持軸３１の軸線Ｌ方向の中央とが一致するように位置決めされる。
【００２４】
上記のように、ロック部材１０Ａ、１０Ｂは、ロック部材ガイド機構２０によって連動して動くため、ロック部材１０Ａ、１０Ｂの一方を支持軸３１に対して軸線Ｌ方向に位置決めすることによって他方も位置決めされる。ロック部材位置決め機構５０は、ロック部材１０Ｂを支持軸３１に対して軸線Ｌ方向に位置決めするための機構である。ロック部材位置決め機構５０は、支持軸３１の外周に装着される内側分割筒体５１と、内側分割筒体５１の外周に装着される外側筒体５２を備えている。外側筒体５２は、ロック部材１０Ｂにおけるロール紙固定部１１Ｂの先端とは逆の側を向いた端面１５に取り付けられている。ロック部材１０Ｂの端面１５には、周方向に延びる係合溝１６が形成されている。一方、ロック部材１０Ｂの端面１５と軸線Ｌ方向に対向している外側筒体５２の端面５２ａには、係合突起５３が形成されている。係合溝１６と係合突起５３を係合させると、ロック部材１０Ｂに対して外側筒体５２が同軸状に取り付けられる。係合溝１６および係合突起５３はＬ字状断面をしているため、外側筒体５２とロック部材１０Ｂは支持軸３１に沿って軸線Ｌ方向に一体となって移動する。また、係合突起５３は係合溝１６内を周方向にスライド可能であるため、外側筒体５２とロック部材１０Ｂは相対回転可能である。
【００２５】
図４に示すように、内側分割筒体５１は、支持軸３１の外周面に沿って周方向に隙間を開けて装着された２つの分割筒体５１Ａ、５１Ｂによって構成されている。なお、３つ以上の分割筒体によって内側分割筒体５１を構成してもよい。ロック部材位置決め機構５０は、内側分割筒体５１と外側筒体５２の間に構成されるテーパねじ機構を備えている。すなわち、内側分割筒体５１の外周面は、螺旋状のねじ山が形成されたねじ面５４になっている。このねじ面５４は、軸線Ｌ方向の一端側に向かうに従って径が増大するテーパ状のねじ面である。一方、外側筒体５２の内周面は、ねじ面５４と同じ傾きのテーパ状のねじ面５５になっている。ねじ面５５には、ねじ面５４のねじ山に螺合する螺旋状のねじ溝が形成されている。
【００２６】
内側分割筒体５１のねじ面５４、および、外側筒体５２のねじ面５５の傾きは、外側筒体５２の端面５２ａ側（すなわち、ロック部材１０Ｂに連結される端部側）に向かうに従ってねじ面５４、５５の径が拡大するように設定されている。このようにすると、外側筒体５２を周方向に回して内側分割筒体５１を締め付けたとき、外側筒体５２がロック部材１０Ｂと共にもう一方のロック部材１０Ａに向かって移動する。つまり、ロック部材位置決め機構５０は、外側筒体５２および内側分割筒体５１を介してロック部材１０Ａ、１０Ｂを支持軸３１に対して軸線Ｌ方向に位置決めできると共に、固定開始時（締め付け開始時）よりも両ロック部材を更に接近させることができるようになっている。
【００２７】
以上のように、本例のプリンター１は、支持軸３１に沿って連動して逆向きに移動する一対のロック部材１０Ａ、１０Ｂの間にロール紙４を配置することにより、ロール紙４を支持軸３１上において中央基準で位置決めできる。また、このとき、ロール紙４の軸孔４２の両端から両ロック部材のロール紙固定部１１Ａ、１１Ｂを挿入して、軸孔４２の開口縁にロール紙固定部１１Ａ、１１Ｂの外周面が強く押し当てられるまで両ロック部材を近づけることができる。従って、各ロック部材１０Ａ、１０Ｂをロール紙４に両側から強く押し当ててこれらが一体回転する状態を形成できる。そして、この状態でロック部材１０Ａ、１０Ｂを支持軸３１に対して軸線Ｌ方向に位置決めすることにより、ロック部材１０Ａ、１０Ｂを介してロール紙４を支持軸３１に固定できる。よって、支持軸３１を回転させて記録紙Ｐを巻き取ることができる。また、支持軸３１の中央から記録紙Ｐを繰り出すことができると共に、支持軸３１の中央に寄せて記録紙Ｐを巻き取ることができる。
【００２８】
また、本例では、ロール紙固定部１１Ａ、１１Ｂの外周面が円錐面であって、ロール紙４の軸孔４２の開口縁に対して斜めに当接する。このように、巻き芯４１の角部を円錐面に対して斜めに当接させることにより、押圧力を集中させることができ、強い力でロール紙４を挟み込むことができる。よって、ロール紙４を支持軸３１に強く固定できる。
【００２９】
更に、本例では、ロック部材位置決め機構５０を構成している内側分割筒体５１と外側筒体５２の間にテーパねじ機構を構成しているため、内側分割筒体５１を締め付けるときに外側筒体５２を軸線Ｌ方向に移動させることができる。従って、両ロック部材を支持軸３１に固定するときに両ロック部材を更に近づけることができ、更に強くロール紙４を挟み込んで固定力を強めることができる。
【００３０】
また、ロック部材ガイド機構２０は、支持軸３１の軸線Ｌ方向に沿って平行に配置された一対のラックギア２１Ａ、２１Ｂと、当該一対のラックギア２１Ａ、２１Ｂが両側から噛み合うように配置されたピニオンギア２２を備えるラックアンドピニオン機構であり、ラックギア２１Ａに連動してロック部材１０Ａが移動し、ラックギア２１Ｂに連動してロック部材１０Ｂが移動するように構成されている。これにより、ピニオンギア２２を中心として両ロック部材を逆向きに移動させることができ、ロール紙４を中央寄せできる。
【００３１】
（改変例）
（１）図５は改変例のロール紙固定部およびロール紙の側面図である。上記実施形態では、ロール紙４を両側から押圧するロール紙固定部１１Ａ、１１Ｂの外周面を平坦な円錐面にしているが、この面に、図５に示すような径方向に放射状に延びる突条部１７を形成してもよい。このようにすると、ロール紙４の軸孔４２の開口縁に当接するロール紙固定部１１Ａ、１１Ｂの外周面に凹凸が形成されるため、その凸部（突条部１７）に押圧力が集中的に加わる。従って、押圧力を更に集中させることができ、ロール紙４の支持軸３１への固定力を更に強めることができる。なお、ロール紙固定部１１Ａ、１１Ｂの外周面に突条部１７を形成する代わりに溝を形成しても同様の効果が得られる。あるいは、ロール紙固定部１１Ａ、１１Ｂの外周面をゴムなどの摩擦係数の高い素材で形成することにより、ロール紙４の固定力を高めることもできる。
【００３２】
（２）上記実施形態では、ロール紙固定部１１Ａ、１１Ｂを円錐形にしているが、他の先細り形状であってもよい。例えば、先端側から後端側に向かうに従って傾きが変化する形状や、傾きが階段状に変化する段部を外周面に設けた形状にしてもよい。
【符号の説明】
【００３３】
１…プリンター、２…本体フレーム、３…ロール紙ホルダー、４…ロール紙、５…搬送路、６…記録紙搬送機構、７…印刷機構、７ａ…インクジェットヘッド（印刷ヘッド）、７ｂ…プラテン、８…記録紙排出口、１０Ａ…ロック部材、１０Ｂ…ロック部材、１１Ａ…ロール紙固定部、１１Ｂ…ロール紙固定部、１２Ａ…軸孔、１２Ｂ…軸孔、１３Ａ…ガイド突起、１３Ｂ…ガイド突起、１４Ａ…ガイド突起、１４Ｂ…ガイド突起、１５…端面、１６…係合溝、１７…突条部、２０…ロック部材ガイド機構（ロック部材ガイド手段）、２１Ａ…ラックギア、２１Ｂ…ラックギア、２２…ピニオンギア、２３Ａ…ガイド突起、２３Ｂ…ガイド突起、３１…支持軸、３１ａ…ガイド溝、３１ｂ…ガイド溝、３２…支持フレーム（支持手段）、３３…支持軸駆動機構、３３ａ…駆動モーター、３３ｂ…駆動力伝達機構、３３ｃ…クラッチ機構、４１…巻き芯、４２…軸孔、５０…ロック部材位置決め機構（ロック部材位置決め手段）、５１…内側分割筒体、５１Ａ…分割筒体、５１Ｂ…分割筒体、５２…外側筒体、５２ａ…端面、５３…係合突起、５４…ねじ面、５５…ねじ面、Ａ…印刷位置、Ｄ…内径、Ｄ１…外径、Ｄ２…外径、Ｌ…軸線、Ｐ…記録紙
【図１】
2013215984.tif 000003
【図２】
2013215984.tif 000004
【図３】
2013215984.tif 000005
【図４】
2013215984.tif 000006
【図５】
2013215984.tif 000007